(57)【特許請求の範囲】
【請求項１】
ハウジングの内周面と前記ハウジングに形成された軸孔に挿通される回転軸との間の環状空間に装着されるオイルシール及びダストカバーとからなる密封装置において、
前記オイルシールは、前記回転軸の外周面に摺動自在に接触する対油リップと、前記回転軸の外周面に取り付けられるダストカバーの端面部と接触するサイドリップと、を有し、
前記オイルシールの機外側の端面には、前記サイドリップの先端縁に前記サイドリップの背面側から接触することで前記サイドリップの前記先端縁の変形を規制する補助リップが形成されており、
前記補助リップは前記オイルシールの前記機外側の前記端面から前記サイドリップの前記先端縁の背面側に向けてのびるとともに、前記サイドリップと非接触の状態において前記補助リップが前記サイドリップの側に凸となるように反っていることを特徴とする密封装置。
【請求項２】
請求項１に記載の密封装置において、
前記補助リップは、前記サイドリップの先端縁との間に軸方向間隔を形成し、
前記サイドリップの先端縁が前記ダストカバーの端面部から離れるように変形したときに前記サイドリップの先端縁を背面から支えることで、前記サイドリップの先端縁の変形を規制することを特徴とする密封装置。
【請求項３】
前記補助リップは、基部から前記サイドリップの前記先端縁に向かうに従って大径となる円錐筒状を呈する請求項１または２に記載の密封装置。
【発明の詳細な説明】
【技術分野】
【０００１】
本発明は、密封装置に係り、例えば、車両の駆動系といった機外側からの泥水等にさらされやすい環境で用いられる密封装置に関する。
【背景技術】
【０００２】
従来より、図５に示すように機外側Ａからの泥水等にさらされやすい環境下で用いられる一般的な密封装置５１０として、ハウジング５５０の内周面５５０ａとハウジング５５０に挿通される回転軸５６０の外周面５６０ａとの間の環状空間５７０に装着されるオイルシール５２０と、オイルシール５２０の機外側Ａで回転軸５６０の外周面５６０ａに取り付けられるダストカバー５４０と、を備え、オイルシール５２０には、ダストカバー５４０における端面部５４２と摺動自在に接触するサイドリップ５２４が形成されたものが知られている。
【０００３】
この密封装置５１０によれば、ダストカバー５４０は、回転軸５６０とともに回転することで、サイドリップ５２４の先端縁５２４ｂがダストカバー５４０の端面部５４２と摺動自在に接触し、かつ、ダストカバー５４０における遠心力の振り切り作用が発揮されることで、機外側Ａの泥水等が機内側Ｂへ侵入することを防止する。
【０００４】
また、従来技術に係る密封装置５１０は、図５の二点鎖線で示すようにサイドリップ５２４の軸方向長さに余裕を持たせることで、回転軸５６０の軸方向変位に追従させていた。
【先行技術文献】
【特許文献】
【０００５】
【特許文献１】特開２０１３−１１３３１９号公報
【発明の概要】
【発明が解決しようとする課題】
【０００６】
しかし、従来技術に係る密封装置５１０は、組み付けに用いられる部材の寸法公差如何によってダストカバー５４０とオイルシール５２０が本来の組み付け位置よりも軸方向に近接した状態で組みつけられる可能性がある。そうすると、図６に示すように、軸方向長さに余裕を持つサイドリップ５２４における先端縁５２４ｂとダストカバー５４０の端面部５４２との間における面圧が大きく上昇することで、サイドリップ５２４の先端縁５２４ｂがダストカバー５４０の端面部５４２から離れるように変形し、この先端縁５２４ｂと端面部５４２との間から泥水等といった異物が機内側Ｂに侵入するおそれがあった。
【０００７】
本発明は、以上のような点に鑑みてなされたものであって、その技術的課題は、サイドリップの先端縁の変形を防止することができる密封装置を提供することにある。
【課題を解決するための手段】
【０００８】
上述した技術的課題を有効に解決するための手段として、本発明の密封装置は、ハウジングの内周面と前記ハウジングに形成された軸孔に挿通される回転軸との間の環状空間に装着されるオイルシール及びダストカバーとからなる密封装置において、前記オイルシールは、前記回転軸の外周面に摺動自在に接触する対油リップと、前記回転軸の外周面に取り付けられるダストカバーの端面部と接触するサイドリップと、を有し、前記オイルシールの機外側の端面には、前記サイドリップの先端縁に前記サイドリップの背面側から接触することで前記サイドリップの前記先端縁の変形を規制する補助リップが形成されていることを特徴とする。前記補助リップは前記オイルシールの前記機外側の前記端面から前記サイドリップの前記先端縁の背面側に向けてのびるとともに、前記サイドリップと非接触の状態において前記補助リップが前記サイドリップの側に凸となるように反っていてもよい。
【０００９】
また、前記変形規制部は、前記サイドリップの先端縁との間に軸方向間隔を形成し、前記サイドリップの先端縁が前記ダストカバーの端面部から離れるように変形したときに前記サイドリップの先端縁を背面から支えることで、前記サイドリップの先端縁の変形を規制してもよい。
【００１０】
また、前記変形規制部は、前記サイドリップの先端縁に向けて突出する突起部であってもよい。
【００１１】
また、前記変形規制部は、オイルシールの機外側の端面から前記サイドリップの先端縁の背面側に向けて形成される環状のリップであってもよい。
【発明の効果】
【００１２】
上記構成の密封装置によれば、変形規制部がサイドリップの先端縁と接触することで、サイドリップの先端縁の変形を防止することができる。
【図面の簡単な説明】
【００１３】
【図１】第一実施形態に係る密封装置の正常な組み付け状態を示す断面図である。
【図２】第一実施形態に係る密封装置におけるダストカバーとオイルシールが近接した状態を示す断面図である。
【図３】第二実施形態に係る密封装置の正常な組み付け状態を示す断面図である。
【図４】第二実施形態に係る密封装置におけるダストカバーとオイルシールが近接した状態を示す断面図である。
【図５】従来技術に係る密封装置の断面図である。
【図６】従来技術に係る密封装置におけるダストカバーとオイルシールが近接した状態を示す断面図である。
【発明を実施するための形態】
【００１４】
以下において、実施形態に係る密封装置１０について図面に基づき詳細に説明する。図１は、第一実施形態に係る密封装置１０の正常な組み付け状態を示す断面図であり、図２は、第一実施形態に係る密封装置１０におけるダストカバー４０とオイルシール２０が近接した状態を示す断面図である。
【００１５】
本実施形態に係る密封装置１０は、図１に示すようにハウジング５０の内周面５０ａとハウジング５０に挿通される回転軸６０の外周面６０ａとの間の環状空間７０に装着されるオイルシール２０と、オイルシール２０の機外側Ａで回転軸６０の外周面６０ａに取り付けられるダストカバー４０と、を備える。
【００１６】
オイルシール２０は、金属からなる金属環２１にゴム状弾性体２２が一体成形されたものである。このうち、金属環２１は、断面Ｌ字状を呈し、回転軸６０と同心状の筒状部２１ａと、筒状部２１ａの軸方向の機外側Ａ端部から内径方向へ向けて延在するフランジ部２１ｂを一体成形したものである。ゴム状弾性体２２は、金属環２１の筒状部２１ａの外周面に被着され、ハウジング５０の内周面５０ａに嵌合されることで金属環２１およびハウジング５０間をシールする外周シール部２２ａと、フランジ部２１ｂの機外側Ａの端面に被着された端面ゴム部２２ｂと、端面ゴム部２２ｂの内周端部から機内側Ｂへ向けて延び、回転軸６０の外周面６０ａと摺動自在に接触する対油リップ２２ｃと、端面ゴム部２２ｂの内周端部から機外側Ａへ向けて延び、回転軸６０の外周面６０ａに接触するダストリップ２２ｄと、を備え、対油リップ２２ｃの外周面には、内径方向へ向けて緊迫力を付与するためのガータスプリング２３が装着されている。また、オイルシール２０における端面ゴム部２２ｂの径方向長さの途中（フランジ部２１ｂの内径方向端部近傍）には、端面ゴム部２２ｂを根元部２４ａとし、対油リップ２２ｃの反対方向へ延び、先端縁２４ｂに向かうに従って大径となる円錐筒状を呈し、先端縁２４ｂがダストカバー４０の端面部４２と摺動自在に接触するサイドリップ２４が設けられている。
【００１７】
ダストカバー４０は、金属からなり、軸方向に延び、オイルシール２０に対して機外側Ａに位置し、回転軸６０の外周面６０ａに嵌合されることでダストカバー４０を固定する内周側円筒部４１と、この内周側円筒部４１の機外側Ａの端部からの外径方向に向けて円盤状に展開する端面部４２と、端面部４２の外径方向端部から軸方向のオイルシール２０側に向けて延びる外周側円筒部４３と、が一体成形されている。
【００１８】
また、オイルシール２０における端面ゴム部２２ｂには、ゴム状弾性材製の突起部３０が一体成形されている。突起部３０は、サイドリップ２４の根元部２４ａよりも外周側に位置し、サイドリップ２４の先端縁２４ｂに向けて突出するものであって、その断面は方形を呈する。また、サイドリップ２４の先端縁２４ｂの背面２４ｃと、突起部３０の端部３１との間には、図１に示すように軸方向隙間３５が設定されている。なお、本実施形態に係る突起部３０は、請求項に記載の変形規制部に相当する。
【００１９】
上記構成の密封装置１０は、オイルシール２０のサイドリップ２４に向けてダストカバー４０を近づけることで、サイドリップ２４における先端縁２４ｂと、ダストカバー４０の端面部４２と、を接触させる。これにより、オイルシール２０にダストカバー４０が装着される。そして、本実施形態に係る密封装置１０は、ダストカバー４０とオイルシール２０の組み付け位置に応じて下記の機能を発揮する。
【００２０】
すなわち、ダストカバー４０とオイルシール２０が本来の組み付け位置にあるときには、図１に示すようにサイドリップ２４における先端縁２４ｂは、ダストカバー４０の端面部４２と摺動自在に接触する。一方で、突起部３０は、サイドリップ２４の先端縁２４ｂの背面２４ｃと接触せず、この先端縁２４ｂの背面２４ｃとの間に軸方向隙間３５を形成する。一方で、ダストカバー４０とオイルシール２０が軸方向に近接した状態で組みつけられたときには、図２に示すようにサイドリップ２４における先端縁２４ｂは、ダストカバー４０の端面部４２と摺動自在に接触する。そして、突起部３０の端部３１は、サイドリップ２４の先端縁２４ｂの背面２４ｃと接触し、サイドリップ２４の先端縁２４ｂは、突起部３０の端部３１と接触する位置までしか変形することができない。
【００２１】
以上により、本実施形態に係る密封装置１０によれば、オイルシール２０におけるサイドリップ２４の先端縁２４ｂがダストカバー４０の端面部４２と摺動自在に接触し、かつ、ダストカバー４０における遠心力の振り切り作用が発揮されることで、機外側Ａの泥水等が機内側Ｂへ侵入することを防止する。
【００２２】
加えて、ダストカバー４０とオイルシール２０が本来の組み付け位置にあるときには、突起部３０は、サイドリップ２４の先端縁２４ｂの背面２４ｃと接触しないため、ダストカバー４０に対するサイドリップ２４の先端縁２４ｂの面圧が上昇しない。したがって、サイドリップ２４における先端縁２４ｂの摺動トルクは、従来技術に係る密封装置５１０における摺動トルクと同等となる。
【００２３】
加えて、ダストカバー４０とオイルシール２０が軸方向に近接した状態で組みつけられたときには、サイドリップ２４の先端縁２４ｂの背面２４ｃと突起部３０の端部３１との間の軸方向隙間３５が消失し、サイドリップ２４の先端縁２４ｂは、突起部３０の端部３１と接触する位置までしか変形することができない。したがって、サイドリップ２４の先端縁２４ｂがダストカバー４０の端面部４２から離れるように変形することを防止することができ、もって、ダストカバー４０における端面部４２とサイドリップ２４の先端縁２４ｂとの間から泥水等といった異物が機内側Ｂへ侵入することを防止することができる。
【００２４】
次に第二実施形態に係る密封装置１０について図面に基づき詳細に説明する。図３は、第二実施形態に係る密封装置１０の正常な組み付け状態を示す断面図であり、図４は、第二実施形態に係る密封装置１０におけるダストカバー４０とオイルシール２０が近接した状態を示す断面図である。
【００２５】
すなわち、本実施形態に係る密封装置１０は、オイルシール２０における端面ゴム部２２ｂにゴム状弾性材製の環状の補助リップ３２が一体として形成されている。補助リップ３２は、その基部３３がサイドリップ２４の根元部２４ａよりも外周側に位置し、補助リップ３２の基部３３からサイドリップ２４の先端縁２４ｂに向かうに従って大径となる円錐筒状を呈するものである。また、サイドリップ２４の先端縁２４ｂの背面２４ｃと、補助リップ３２の先端部３４との間には、図３に示すように軸方向隙間３５が設定されているとともに、補助リップ３２は、ダストカバー４０の端面部４２に向けて弾性復元力を発揮するように設定されている。なお、本実施形態に係る補助リップ３２は、請求項に記載の変形規制部に相当する。
【００２６】
上記構成の密封装置１０は、オイルシール２０のサイドリップ２４に向けてダストカバー４０を近づけることで、サイドリップ２４における先端縁２４ｂとダストカバー４０の端面部４２とを接触させる。これにより、オイルシール２０にダストカバー４０が装着される。そして、本実施形態に係る密封装置１０は、ダストカバー４０とオイルシール２０の組み付け位置に応じて下記の機能を発揮する。
【００２７】
すなわち、ダストカバー４０とオイルシール２０が本来の組み付け位置にあるときには、図３に示すようにサイドリップ２４における先端縁２４ｂは、ダストカバー４０の端面部４２と摺動自在に接触する。一方で、補助リップ３２の先端部３４は、サイドリップ２４の先端縁２４ｂの背面２４ｃと接触せず、補助リップ３２の先端部３４とサイドリップ２４の先端縁２４ｂの背面２４ｃとの間に軸方向隙間３５を形成する。一方で、ダストカバー４０とオイルシール２０が軸方向に近接した状態で組みつけられたときにサイドリップ２４の先端縁２４ｂがダストカバー４０の端面部４２から離れるように変形すると、図４に示すようにサイドリップ２４の先端縁２４ｂは、補助リップ３２の先端部３４と接触する。そして、補助リップ３２はダストカバー４０の端面部４２に向けて弾性復元力を発揮するため、補助リップ３２の先端部３４がサイドリップ２４の先端縁２４ｂを押さえ込む。
【００２８】
以上により、本実施形態に係る密封装置１０によれば、オイルシール２０におけるサイドリップ２４の先端縁２４ｂがダストカバー４０の端面部４２と摺動自在に接触し、かつ、ダストカバー４０における遠心力の振り切り作用が発揮されることで、機外側Ａの泥水等が機内側Ｂへ侵入することを防止する。
【００２９】
加えて、ダストカバー４０とオイルシール２０が本来の組み付け位置にあるときには、補助リップ３２の先端部３４は、サイドリップ２４の先端縁２４ｂの背面２４ｃと接触しないため、ダストカバー４０に対するサイドリップ２４の先端縁２４ｂの面圧が上昇しない。したがって、サイドリップ２４における先端縁２４ｂの摺動トルクは、従来技術に係る密封装置５１０における摺動トルクと同等となる。
【００３０】
加えて、ダストカバー４０とオイルシール２０が軸方向に近接した状態で組みつけられたときには、サイドリップ２４の先端縁２４ｂは、補助リップ３２の弾性復元力によって押さえ込まれる。したがって、サイドリップ２４の先端縁２４ｂがダストカバー４０の端面部４２から離れるように変形することを防止することができ、もって、ダストカバー４０における端面部４２とサイドリップ２４の先端縁２４ｂとの間から泥水等といった異物が機内側Ｂへ侵入することを防止することができる。
【００３１】
また、本実施形態に係る補助リップ３２は、外径方向に延びた形状であることから容易に弾性変形することができる。したがって、補助リップ３２がサイドリップ２４の先端縁２４ｂを押さえ込む力を小さくすることができ、もって、サイドリップ２４の摺動トルクが増大することによるエネルギーロス等を抑制することができる。
【００３２】
なお、本実施形態に係る突起部３０は、環状であってもよく、周方向に所定の間隔をもって複数が形成されていてもよい。
【符号の説明】
【００３３】
１０    密封装置
２０    オイルシール
２１    金属環
２１ａ  筒状部
２１ｂ  フランジ部
２２    ゴム状弾性体
２２ａ  外周シール部
２２ｂ  端面ゴム部
２２ｃ  対油リップ
２２ｄ  ダストリップ
２３    ガータスプリング
２４    サイドリップ
２４ａ  根元部
２４ｂ  先端縁
２４ｃ  背面
３０    突起部
３１    端部
３２    補助リップ
３３    基部
３４    先端部
３５    軸方向隙間
４０    ダストカバー
４１    内周側円筒部
４２    端面部
４３    外周側円筒部
５０    ハウジング
５０ａ  内周面
６０    回転軸
６０ａ  外周面
７０    環状空間
Ａ      機外側
Ｂ      機内側
【図１】
0006718734.tif 000002
【図２】
0006718734.tif 000003
【図３】
0006718734.tif 000004
【図４】
0006718734.tif 000005
【図５】
0006718734.tif 000006
【図６】
0006718734.tif 000007